(57)【要約】【課題】不正入場を防止することが可能な認証装置を提供すること。【解決手段】認証対象者が特定エリアへの入場を許可すべき正当権原者であるかを判断するために顔認証を行うための認証装置（１０）であって、認証対象者を識別するための識別情報を取得する識別情報取得部（１０２）と、認証対象者が提供する識別情報を識別情報取得部が取得するタイミングと略同一のタイミングで認証対象者を撮影する第１撮影部（１０４）と、識別情報取得部において取得された識別情報と、第１撮影部において撮影された認証対象者の顔部分を含む画像である第１認証用画像と、を出力する出力部（１０６）と、を備え、識別情報取得部（１０２）および第１撮影部（１０４）は隣接して配置される、認証装置。【選択図】図１
2018128970.tif 000002
【特許請求の範囲】
【請求項１】
認証対象者が特定エリアへの入場を許可すべき正当権原者であるかを判断するために顔認証を行うための認証装置であって、
前記認証対象者を識別するための識別情報を取得する識別情報取得部と、
前記認証対象者が提供する前記識別情報を前記識別情報取得部が取得するタイミングと略同一のタイミングで前記認証対象者を撮影する第１撮影部と、
前記識別情報取得部において取得された前記識別情報と、前記第１撮影部において撮影された前記認証対象者の顔部分を含む画像である第１認証用画像と、を含む認証用の情報を出力する出力部と、
を備え、
前記識別情報取得部および前記第１撮影部は隣接して配置される、認証装置。
【請求項２】
前記認証対象者が提供する前記識別情報を前記識別情報取得部が取得するタイミングと略同一または異なるタイミングで前記認証対象者を撮影する第２撮影部をさらに備え、
前記出力部はさらに、前記第２撮影部において撮影された前記認証対象者の顔部分を含む画像である第２認証用画像を出力する、請求項１に記載の認証装置。
【請求項３】
前記第１撮影部は前記識別情報取得部から４４０ｍｍの高さに設置される、請求項１または２に記載の認証装置。
【請求項４】
前記認証装置は、前記識別情報取得部、前記第１撮影部の組を２組備え、
前記２組はそれぞれ、前記識別情報取得部および前記第１撮影部が前記認証対象者の顔認証時の進行方向に沿って設置される、請求項１から３のいずれか一項に記載の認証装置。
【請求項５】
前記請求項１から４のいずれか一項に記載の認証装置と、認証サーバと、を含む顔認証システムであって、
前記認証サーバは、
前記識別情報と、前記正当権原者の顔画像データと、を関連付けて記憶する入場者情報記憶部と、
前記認証装置から出力される前記識別情報に関連付けられた前記正当権原者の顔画像データを前記入場者情報記憶部から取得し、取得された前記正当権原者の顔画像データと、前記認証装置から出力される少なくとも前記第１認証用画像とを、照合する照合部と、
を備える、顔認証システム。
【請求項６】
互いに隣接して配置される識別情報取得部および第１撮影部と、出力部と、を備え、認証対象者が特定エリアへの入場を許可すべき正当権原者であるかを判断するために顔認証を行うための認証装置が実行する顔認証方法であって、
前記識別情報取得部が、前記認証対象者を識別するための識別情報を取得するステップと、
前記第１撮影部が、前記認証対象者が提供する前記識別情報を前記取得するタイミングと略同一のタイミングで前記認証対象者を撮影するステップと、
前記出力部が、前記取得された識別情報と、前記撮影された前記認証対象者の顔部分を含む画像である第１認証用画像と、を含む認証用の情報を出力するステップと、
を含む、顔認証方法。
【請求項７】
請求項６に記載の顔認証方法を前記認証装置に実行させるためのプログラム。
【発明の詳細な説明】
【技術分野】
【０００１】
本発明は、イベント会場等の来場者の顔認証を行うシステムに関する。
【背景技術】
【０００２】
従来、予め申込みをした者しか入場できないようなイベント会場等の来場者の認証を行う方法として、来場者の顔を撮影して、事前に認証サーバに登録されている来場者の顔画像と比較をすることで顔認証するシステムが存在する（例えば、特許文献１）。
【先行技術文献】
【特許文献】
【０００３】
【特許文献１】特開２００３−１８７３５２号公報
【発明の概要】
【発明が解決しようとする課題】
【０００４】
ところで、イベント会場等において来場者の認証を行う場合、以下のような方法が考えられる。すなわち、来場者に対して事前にチケットが送付され、来場者は当該チケットを携帯して来場する。そして、来場者はチケットに印字されているＱＲコード（登録商標）等の識別情報を会場の入口などに設置された受付装置（認証装置）のリーダに読み込ませる。そして、読み込まれた識別情報に予め関連付けられて認証サーバに登録されている来場者の顔画像と、イベント会場等において撮影された来場者の顔画像とを比較して照合する、という具合である。
【０００５】
しかしながら、従来の顔認証システムでは、多くの場合、受付装置のＱＲコード等のリーダと来場者の顔を撮影するカメラ装置とが離れて設置されていた。そのため、例えば、入場資格を有する正当権原者が、自身の顔をカメラに撮影させるようにカメラに近づきつつ、その後、不正に入場しようとする者が正当権原を有する者に成り代わってＱＲコードリーダ等にＱＲコード等を読み込ませる、というようにして不正入場することが可能であった。これにより、本来は入場資格のない者が不正に入場してしまうという問題があった。
【０００６】
上記のような課題に鑑み、本発明は、入場資格を有する者しか入場できない特定エリアへの入場者の顔認証処理を、より正確に行うことが可能な顔認証システムを提供することを目的とする。
【課題を解決するための手段】
【０００７】
上記課題を解決するために、本発明の一態様は、認証対象者が特定エリアへの入場を許可すべき正当権原者であるかを判断するために顔認証を行うための認証装置であって、前記認証対象者を識別するための識別情報を取得する識別情報取得部と、前記認証対象者が提供する前記識別情報を前記識別情報取得部が取得するタイミングと略同一のタイミングで前記認証対象者を撮影する第１撮影部と、前記識別情報取得部において取得された前記識別情報と、前記第１撮影部において撮影された前記認証対象者の顔部分を含む画像である第１認証用画像と、を含む認証用の情報を出力する出力部と、を備え、前記識別情報取得部および前記第１撮影部は隣接して配置される、認証装置である。
【０００８】
また、本発明の一態様は、上記の認証装置と、認証サーバと、を含む顔認証システムであって、前記認証サーバは、前記識別情報と、前記正当権原者の顔画像データと、を関連付けて記憶する入場者情報記憶部と、前記認証装置から出力される前記識別情報に関連付けられた前記正当権原者の顔画像データを前記入場者情報記憶部から取得し、取得された前記正当権原者の顔画像データと、前記認証装置から出力される少なくとも前記第１認証用画像とを、照合する照合部と、を備える、顔認証システムである。
【０００９】
本発明の一態様に係る認証装置およびこれを用いる顔認証システムによれば、入場資格を有する者しか入場できない特定エリアへの入場者の顔認証処理において、不正に入場しようとする行為を防止することができる。また、入場者自身がセルフ認証し立ち止まることを必要とせずにノンストップで顔認証することにより、よりスピーディーな顔認証処理を実現できる。
【００１０】
また、本発明の他の態様は、互いに隣接して配置される識別情報取得部および第１撮影部と、出力部と、を備え、認証対象者が特定エリアへの入場を許可すべき正当権原者であるかを判断するために顔認証を行うための認証装置が実行する顔認証方法であって、前記識別情報取得部が、前記認証対象者を識別するための識別情報を取得するステップと、前記第１撮影部が、前記認証対象者が提供する前記識別情報を前記取得するタイミングと略同一のタイミングで前記認証対象者を撮影するステップと、前記出力部が、前記取得された識別情報と、前記撮影された前記認証対象者の顔部分を含む画像である第１認証用画像と、を含む認証用の情報を出力するステップと、を含む、顔認証方法である。
【００１１】
また、本発明の他の態様は、上記の顔認証方法を前記認証装置に実行させるためのプログラムである。
【図面の簡単な説明】
【００１２】
【図１】本発明の一実施形態に係る顔認証システムの構成の一例を示す図である。
【図２】本発明の一実施形態に係る入場者情報記憶部に記憶されるデータの一例を示す。
【図３】本発明の一実施形態に係る各装置のハードウェア構成の一例を示す図である。
【図４】本発明の一実施形態に係る顔認証システムにおける処理の一例を示すシーケンス図である。
【図５】本発明の一実施形態に係る認証装置の外観図の一例を示す図である。
【図６】本発明の一実施形態に係る認証装置の各部と認証対象者との位置関係を示す図である。
【図７】本発明の一実施形態に係る認証装置の平面図および側面図の一例を示す図である。
【発明を実施するための形態】
【００１３】
以下、図面を参照して、本発明の実施形態について説明する。以下の説明において参照する各図では、他の図と同等部分は同一符号によって示される。
【００１４】
（顔認証システムの構成）
図１は、本実施形態に係る顔認証システムの構成の一例を示す図である。本実施形態に係る顔認証システム１は、入場についての正当な権原を有する入場者しか入場できないイベント会場等において顔認証を行うためのシステムである。正当な権原を有する者（正当権原者）とは、具体的には、例えば正規にチケットを入手した者や、正規にチケットを入手した者から正規にチケットを譲り受けた者などが該当しうる。なお、チケットは、紙ベースで発行されるものであってもよいし、入場申し込みのウェブサイトからネットワークを通じて申込者の携帯端末に配信される等するデジタルチケットであってもよい。本実施形態においては、一例としてデジタルチケットの場合について説明する。
【００１５】
図１に例示の顔認証システム１は、認証装置１０と、入場者が携行する携帯端末２０と、入場者の認証処理を実行する認証サーバ３０とを含む。
【００１６】
なお、本実施形態に係る顔認証システム１においては入場者の顔認証を行うが、その前に、入場者は事前にデジタルチケットを購入する等して正当にチケットを入手するための手続きを行っていることが前提である。例えばデジタルチケットの購入手続きは主にオンラインで行われることが想定されるが、入場者は予め購入サイトにおいて、自身の顔画像と、氏名・住所・電話番号等の個人データとを入力して購入手続きを行う。購入手続きが正常に終了すると、入場者はチケット発行者から発行されるデジタルチケットをダウンロード等の方法で入手し、携帯端末２０に保存しておく。そして、この携帯端末２０を携帯してイベント会場等に行き、デジタルチケットを表示して認証装置１０に読み込ませることで入場手続きを行う。
【００１７】
以下、各装置の構成について説明する。
【００１８】
（携帯端末の構成）
携帯端末２０は、入場者が所持する携帯端末であって、端末記憶部２０２と、表示部２０４とを有する。
【００１９】
端末記憶部２０２は、事前に購入する等して入手されたデジタルチケットを記憶する。ここで、本実施形態の顔認証システムで用いられるデジタルチケットは、入場者の顔画像と、入場者（もしくはチケット）を一意に識別する識別情報を含んで構成される。識別情報はどのような形態のものでもよい。例えば、文字列、バーコードのような一次元コード、ＱＲコード等のような二次元コード等であってよい。本実施形態においては、一例としてＱＲコードの場合について説明する。
【００２０】
表示部２０４は、端末記憶部２０２に記憶されているデジタルチケットを表示する。入場者は、表示部２０４にデジタルチケットを表示させて、後述する認証装置１０の識別情報取得部１０２にＱＲコード（識別情報）を読み込ませる。
【００２１】
（認証装置の構成）
認証装置１０は、入場についての正当な権原を有する者のみが入場可能なイベント会場や空港等の特定エリアの入場口付近に設置されることが想定される装置であって、認証対象者（イベント会場の来場者等）が特定エリアへの入場を許可すべき正当権原者であるかを判断するために顔認証を行うための装置である。認証装置１０は、識別情報取得部１０２と、第１撮影部１０４と、第２撮影部１０６と、出力部１０８と、発券部１１０と、を有する。
【００２２】
識別情報取得部１０２は、認証対象者を識別するための識別情報を取得する。識別情報取得部１０２は、具体的には例えばＱＲコードリーダ等であり、例えば入場者が携帯端末２０の表示部２０４にＱＲコード（識別情報）を含むデジタルチケットを表示させてＱＲコードリーダ（識別情報取得部１０２）にかざすことで取得される。
【００２３】
第１撮影部１０４は、認証対象者が提供する識別情報を識別情報取得部１０２が取得するタイミングと略同一のタイミングで当該認証対象者を撮影する。具体的には例えば、第１撮影部１０４は、認証対象者がＱＲコードリーダ（識別情報取得部１０２）にＱＲコード（識別情報）を含むデジタルチケットをかざすタイミングと略同一のタイミングで認証対象者の顔を撮影する。「略同一のタイミング」とは、厳密に同時でなくとも、ほぼ同時であれば足りるという意味である。このようなタイミングで認証対象者の顔を撮影することにより、識別情報取得部１０２が識別情報を取得する時点と、認証対象者の顔を撮影する時点との間で入場者がすり替わり、入場資格の無い者が不正に入場するような事態を回避することができる。
【００２４】
第２撮影部１０６は、認証対象者が提供する識別情報を識別情報取得部１０２が取得するタイミングと略同一または異なるタイミングで当該認証対象者を撮影する。具体的には例えば、第２撮影部１０６は、認証対象者がＱＲコードリーダ（識別情報取得部１０２）にＱＲコード（識別情報）を含むデジタルチケットをかざすよりも前もしくは後に、または略同一に認証対象者の顔を撮影する。例えば、第２撮影部１０６は、認証対象者がＱＲコードリーダにＱＲコードを読み込ませる前に、認証装置１０に近づいて歩いてくるタイミング（顔をほぼまっすぐにしている状態）において認証対象者の顔を撮影する。または、例えば認証対象者がＱＲコードリーダにＱＲコードを読み込ませた後に入場口に向かって歩いていくタイミング（顔をほぼまっすぐにしている状態）で認証対象者の顔を撮影する。
【００２５】
出力部１０８は、識別情報取得部１０２において取得された識別情報と、第１撮影部１０４において撮影された認証対象者の顔部分を含む画像である第１認証用画像とを含む認証用の情報を出力する。また、出力部１０８はさらに、第２撮影部１０６において撮影された認証対象者の顔部分を含む画像である第２認証用画像を出力してもよい。出力部１０８は、例えば第１撮影部１０４および第２撮影部１０６において撮影された撮影画像をそのまま出力してもよいし、認証対象者の顔部分を含む撮影画像の一部を、または顔部分のみを切り出して出力してもよい。さらに出力部１０８は、撮影画像に何らかの加工を加える等した画像を出力するようになっていてもよい。
【００２６】
発券部１１０は、後述する認証サーバ３０の結果出力部３０６から、照合部３０４における照合結果として照合が成功した旨のデータが出力された場合には、デジタルチケットと関連する別のチケットを発券する機能を有する。例えば、イベント会場の座席券等を発券する等となっていてよい。発券部１１０は、座席券等をプリントアウトするようになっていてもよいし、発券する旨の命令を座席番号等の必要な情報とともに外部の発券装置に出力する等となっていてもよい。また、紙ベースで発券するだけでなく、例えば利用者の携帯端末１０に座席番号を送信する等となっていてもよい。また、座席券等をプリントアウトする場合には、少なくともプリント装置は会場の入口付近に設置する必要があるが、発券部１１０自体を認証装置１０とは別の装置としてもよい。
【００２７】
（認証サーバ）
認証サーバ３０は、例えばネットワークを介して認証装置１０とは異なる遠隔地に設置されるサーバである。あるいは、認証装置１０の付近に認証装置１０とは別体、または一体に設置されてもよい。認証サーバ３０は、入場者情報記憶部３０２と、照合部３０４と、結果出力部３０６とを有する。
【００２８】
入場者情報記憶部３０２は、識別情報と、入場を許可すべき正当権原者の顔画像データとを関連付けて記憶する。図２は、入場者情報記憶部３０２に記憶されるデータの一例を示す。図２においては、識別情報、入場者（申込者）の氏名、住所、電話番号、顔画像データのファイル名が、データベース形式で関連付けられている。また、図２の「顔画像データ」欄で示されるファイル名の顔画像データも、入場者情報記憶部３０２に記憶される。入場者が入場申し込み時に、例えばオンラインでこれらの情報（自身の顔画像を含む）を入力すると、これらの情報が、例えば図２に示すような形式で入場者情報記憶部３０２に保存される。
【００２９】
ここで、正当権原者とは、正規に入場の申し込み（有償・無償）を行い、入場を許可された者である。しかしながら、例えば、イベント等のチケット入手者と、実際にイベント等に行く者が異なる場合もある。しかしながら、正当な手段によりチケット入手の代行が行われたり、正当な手段によりチケットの譲渡が行われた場合には、チケットを入手した者は「正当権原者」である。このような場合には、チケットの入手の後に、入場者の変更手続き等によって、新たな入場者の顔画像データおよび入場者の住所等の情報をチケット発行者に通知することができるようになっていてもよい。チケット発行者は、入場者の変更手続き等が行われた場合には、入場者情報記憶部３０２の内容を書き換える。
【００３０】
照合部３０４は、認証装置１０から出力される識別情報に関連付けられた正当権原者の顔画像データを入場者情報記憶部３０２から取得し、取得された正当権原者の顔画像データと、認証装置１０から出力される少なくとも第１認証用画像とを照合する。さらに照合部は、取得された正当権原者の顔画像データと、認証装置１０から出力される第２認証用画像も照合するようになっていてもよい。
【００３１】
具体的には、照合部３０４は例えば、認証装置１０から出力された識別情報をキーとして入場者情報記憶部３０２を検索し、当該識別情報と関連付けられている入場者の顔画像データを抽出する。そして、抽出された顔画像データと、認証装置１０から出力された第１認証用画像（および第２認証用画像）とを照合する。なお、これらの画像データの照合は、従来技術を用いて実行可能である。また、両者の一致または不一致の決定は、例えば、ある閾値を設けて、両者の一致率が当該閾値以上である場合に“一致”という照合結果とする、等となっていてもよい。第１認証用画像と第２認証用画像とは、上述したように、第１撮影部１０４と第２撮影部１０６とが撮影した撮影画像に基づくものであるが、それぞれ異なる配置位置で撮影されたものであるので、例えば第１認証用画像の品質が低いために第１認証用画像を用いた顔認証が困難である場合であっても、第２認証用画像で顔認証を実行しうる。また、第１認証用画像および第２認証用画像の両方を入場者情報記憶部３０２の顔画像データと照合することで、より高精度に顔認証を行うようになっていてもよい。
【００３２】
結果出力部３０６は、照合部３０４における照合結果を出力する。照合部３０４における照合結果が不成功（顔が一致しない）であるとの結果であった場合には、例えば認証装置１０にその旨を示す結果データを送信する。認証装置１０は不成功の結果データを受信すると、例えばディスプレイ（図示しない）に顔画像が一致しない旨のメッセージを表示するようになっていてもよい。また、認証サーバ３０がイベント会場等の入口に設置されている場合には、認証サーバ３０が備えるディスプレイ（図示しない）に照合結果が表示されるようになっていてもよい。また、例えば、会場入口の係員用のコンピュータ（スマートフォン等の携帯端末を含む）に照合結果が表示されるようになっていてもよい。そして、係員は照合結果が不成功であった場合には、認証サーバ３０に保存されている正当権原者の顔画像を係員用のコンピュータに表示し、実際に来場した認証対象者の顔とを目視で比較することが可能になっていてもよい。この時、例えば係員用のコンピュータに、照合結果とともに認証サーバ３０に保存されている正当権原者の顔画像データが送信されるようになっていてもよいし、あらかじめ、係員用コンピュータに認証サーバ３０に記憶されている正当権原者の顔画像データのコピーが保存されていてもよい。
【００３３】
なお、前述したように、認証装置１０と認証サーバ３０とは一体的に（例えば一つの装置として）構成されていてもよい。この場合、上述した認証装置１０の発券部１１０（と同様の機能）が、認証サーバ３０に備えられていてもよい。
【００３４】
（ハードウェア構成）
上記説明した各装置は、一般的なコンピュータ装置と同様のハードウェア構成によって実現可能である。図３は、各装置のハードウェア構成の一例を示す図である。図３に示されるコンピュータ装置４は、一例として、プロセッサ４１と、ＲＡＭ４２と、ＲＯＭ４３と、内蔵のハードディスク装置４４と、外付けハードディスク装置、ＣＤ、ＤＶＤ、ＵＳＢメモリ、メモリスティック、ＳＤカード等のリムーバブルメモリ４５と、他のコンピュータ装置と通信する通信インタフェース４６と、ユーザがデータのやり取りを行うための入出力ユーザインタフェース４７（ディスプレイ、タッチパネル、キーボード、マウス、スピーカ、ランプ等）とを備える。また、認証装置１０は、これらの構成に加えて２つのカメラ（第１撮影部１０４および第２撮影部１０６）およびＱＲコードリーダ（識別情報取得部１０２）を有する。本実施形態に係る各装置の各構成の機能は、例えば、プロセッサ４１が、ハードディスク装置４４やＲＯＭ４３、リムーバブルメモリ４５等にあらかじめ格納されたプログラムをＲＡＭ４２等のメモリに読み出して実行することで実現可能である。なお、図４に示されるハードウェア構成はあくまで一例であって、これに限定されるものではない。
【００３５】
（処理シーケンス）
図４は、本実施形態に係る顔認証システムにおける処理の一例を示すシーケンス図である。
【００３６】
まず、例えば、認証装置１０（または別の装置）が、認証対象者が認証装置１０の第２撮影部１０６の撮影方向において予め定められた範囲以内に近づいてきたことを検出すると、第２撮影部１０６は認証対象者を撮影する（ステップＳ１００）。
【００３７】
その後、認証対象者の操作に応じて、携帯端末２０の表示部２０４は、ＱＲコード（識別情報）を含むデジタルチケットを表示する（ステップＳ１０２）。そして、利用者はデジタルチケットが表示されている携帯端末２０の表示部２０４を認証装置１０のＱＲコードリーダ（識別情報取得部１０２）にかざすと（ステップＳ１０４）、ＱＲコードリーダは、ＱＲコード（識別情報）を読み取る。これと略同時に第１撮影部１０４は認証対象者を撮影する（ステップＳ１０６）。ＱＲコードの読み取りが正常に行われなかった場合には（ステップＳ１０８：Ｎｏ）、読み込みがＮＧである旨を出力する（ステップＳ１１０）。当該出力は、例えば、認証装置１０のディスプレイにメッセージを表示する、音声によって出力する、ランプの点灯／点滅等によって示す、等、様々な方法で行われてよい。そして、ステップＳ１０４、Ｓ１０６を経て、ＱＲコードの読み取りが再度行われる。
【００３８】
ＱＲコードの読み取りが正常に行われた場合には（ステップＳ１０８：Ｙｅｓ）、第１認証用画像、第２認証用画像、およびＱＲコードから取得される識別情報が認証サーバ３０に出力される（ステップＳ１１２）。
【００３９】
認証サーバ３０が認証装置１０から第１認証用画像、およびＱＲコードを取得すると、取得した識別情報をキーとして入場者情報記憶部３０２に記憶されているデータベース等を参照して、当該認証対象者の顔画像データを検索する。抽出された顔画像データと、認証装置１０から取得された第１認証用画像（および第２認証用画像）とを照合する（ステップＳ１１４）。この時、まず第１認証用画像を照合して認証が不成功であった場合に第２の認証用画像を照合してもよい。
【００４０】
認証サーバ３０は、照合の結果を認証装置１０へ送信する（ステップＳ１１６）。認証装置１０において、照合が不成功との結果であった場合には（ステップＳ１１８：Ｎｏ）、例えば警報音が鳴る、光が点滅する、等して、付近の係員に通知するようになっていてもよい（ステップＳ１２０）。また、照合結果は、当該係員が携帯する携帯端末等に送信されるようになっていてもよい。照合が成功との結果であった場合には（ステップＳ１１８：Ｙｅｓ）、正常終了処理（例えば、発券部１１０において座席券の発券処理を行う、認証装置１０付近の係員が照合成功を確認できるようにランプが点灯する等。もしくは何も実行しなくてもよい。）を実行して終了する（ステップＳ１２２）（認証対象者はイベント会場等に入場することができる）。
【００４１】
なお、図４のシーケンス図においてはステップＳ１００において第２撮影部１０６が認証対象者を撮影するようになっているが、第２撮影部１０６による撮影は、ステップＳ１０８においてＱＲコードの読み取りが正常に行われた後に（ステップＳ１０８：Ｙｅｓ）、実行されるようになっていてもよい。
【００４２】
（認証装置の構造）
上述したように、本実施形態に係る認証装置１０は、少なくとも識別情報取得部１０２と第１撮影部１０４とを近接して配置し、識別情報取得部１０２が識別情報をデジタルチケット等から取得するタイミングと認証対象者の顔を撮影するタイミングとが略同時となるようにすることで、これらの処理の間に、入場の権原を有する者に成り代わって別の者が不正入場しようとすることを回避することができる。
【００４３】
さらに、本願発明の発明者は、第１撮影部１０４および第２撮影部１０６が、より高品質な顔画像を取得するための配置について、以下の通り検討した。
【００４４】
図５は、本実施形態に係る認証装置の外観図の一例を示す図である。本実施形態の認証装置１０は、ＱＲコードリーダ６０２（６０２ａ、６０２ｂ：識別情報取得部１０２に該当）と、第１カメラ６０４（６０４ａ、６０４ｂ：第１撮影部１０４に該当）と、第２カメラ６０６（６０６ａ、６０６ｂ：第２撮影部１０６に該当）とを備える。
【００４５】
本実施形態の認証装置１０は、例えばイベント会場等の特定エリアの入口等に設置されることが想定される。来場者は、特定エリアに入場しようとする際、まずは特定エリアへの入口に設置された認証装置１０に向かって歩いて行く。この時、例えば、認証装置１０（または別の装置）が、認証対象者が認証装置１０の第２カメラ６０６の撮影方向において予め定められた範囲以内に近づいてきたことを検出すると、第２カメラ６０６は認証対象者を撮影する。
【００４６】
その後、認証対象者は事前に送信されたデジタルチケットのＱＲコード（識別情報）が付されているチケットをＱＲコードリーダ６０２にかざして読み込ませるが、これと略同時に、第１カメラ６０４は来場者の顔部分を撮影する。その後、来場者は特定エリアへの入口に向かって歩いて行くが、その際に第１カメラ６０４から第２カメラ６０６の方に向かって載置台６１０に沿って認証装置１０の側方を通過して行く形となるように認証装置１０は設置される。なお、第２カメラ６０６は、例えば、認証対象者がＱＲコードをＱＲコードリーダ６０２にかざすのと略同一のタイミングで認証対象者の顔部分を撮影するようになっていてもよいし、認証対象者がＱＲコードをＱＲコードリーダ６０２に読み込ませた後に認証装置１０の側方を通過していくタイミングで、認証対象者の顔部分を撮影するようになっていてもよい。
【００４７】
また、図５に例示される認証装置１０は、ＱＲコードリーダ６０２、第１カメラ６０４、および第２カメラ６０６を、それぞれ２つずつ備えている。これは、来場者が右利きであるか左利きであるかによってチケットをＱＲコードリーダ６０２にかざす際の顔の位置が変わるため、ＱＲコードリーダ６０２ａは右利きの来場者が利用し、ＱＲコードリーダ６０２ｂは左利きの来場者が利用することを想定している。ただし、これに限定されるものではなく、ＱＲコードリーダ６０２ａを左利きの来場者が利用し、ＱＲコードリーダ６０２ｂを右利きの来場者が利用してもよいし、ＱＲコードリーダ６０２、第１カメラ６０４、および第２カメラ６０６が、それぞれ１つずつ備えられていてもよい。
【００４８】
このように、本実施形態の認証装置１０は、来場者がＱＲコードをＱＲコードリーダ６０２に読み込ませるのと略同一のタイミングにて第１カメラ６０４が来場者の顔部分を撮影することで、識別情報をＱＲコードリーダ６０２に読み込ませた来場者本人の顔を確実に撮影することができる。
【００４９】
ここで、本願発明の発明者は、上述のようなタイミングにて来場者の顔をより高い品質で撮影するために、試行を繰り返し、ＱＲコードリーダ６０２、第１カメラ６０４、および第２カメラ６０６の配置を決定した。以下、詳述する。
【００５０】
まず、図６は、認証装置１０の各部と来場者（認証対象者）との位置関係を示す図である。来場者５０は、ＱＲコードが付されたデジタルチケットを携帯端末２０に表示させて認証装置１０のＱＲコードリーダ６０２にかざす。この時、来場者の目線はデジタルチケット（ＱＲコードリーダ６０２）のほうに向いているのが通常であり、来場者の顔５４は下方を向いていることが想定される。第１カメラ６０４は、下方を向いている来場者の顔５４を下から見上げて撮影するような角度で設置されている。このような状況を想定すると、以下のような関係式が成り立つ：
第１カメラ６０４が設置される高さ≒ＱＲコードリーダ６０２が設置される高さ＋来場者の手の長さ＋来場者の肩から目までの長さ
【００５１】
以上のような条件で、本願発明の発明者が試行を繰り返した。表１は、各試行に関するデータを示す表である。
【００５２】
【表１】
2018128970.tif 000003
【００５３】
ここで、表１において、ＱＲコードリーダ６０２、第１カメラ６０４、第２カメラ６０６の各値は、地面からの高さを意味している。表１の結果に基づき、適切なＱＲコードリーダ６０２、第１カメラ６０４、および第２カメラ６０６の位置関係を、以下のように見出した。
【００５４】
【表２】
2018128970.tif 000004
【００５５】
なお、上記の表において第１カメラ６０４および第２カメラ６０６の「方位角」は、認証装置１０の前方から後方の方向を基準として、通路に向かってどれだけの角度を有するかを示す。また、第１カメラ６０４および第２カメラ６０６の仰角および方位角は、来場者の顔部分を撮影可能な方向によって決まるため、常識的な角度で決定されうる。また、ＱＲコードリーダ６０２は、載置台前面からほぼ０〜１００ｍｍのところに設置される。図７（ａ）および図７（ｂ）は、それぞれ、図５に示された認証装置１０の平面図および側面図の一例であり、上記の表に示された各寸法を図示している。
【００５６】
なお、本実施形態に係る顔認証システムは、上述したように、主には、ＱＲコードリーダ６０２にＱＲコードを読み込ませるのと略同時に第１カメラ６０４が認証対象者を撮影することで不正入場を防止するものである。よって、第１カメラ６０４および第２カメラ６０６の性能や機種等の条件によっては左右されない。
【００５７】
本実施形態に係る認証装置およびこれを用いる顔認証システムによれば、入場資格を有する者しか入場できない特定エリアへの入場者の顔認証処理において、不正に入場しようとする行為を防止することができる。また、入場者自身がセルフ認証し立ち止まらずに顔認証することにより、よりスピーディーな顔認証処理を実現できる。
【００５８】
ここまで、本発明の一実施形態について説明したが、本発明は上述の実施形態に限定されず、その技術的思想の範囲内において種々異なる形態にて実施されてよいことは言うまでもない。
【００５９】
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００６０】
１  顔認証システム
１０  認証装置
２０  携帯端末
３０  認証サーバ
１０２  識別情報取得部
１０４  第１撮影部
１０６  第２撮影部
１０８  出力部
１１０  発券部
２０２  端末記憶部
２０４  表示部
３０２  入場者情報記憶部
３０４  照合部
３０６  結果出力部
６０２ａ、６０２ｂ  ＱＲコードリーダ
６０４ａ、６０４ｂ  第１カメラ
６０６ａ、６０６ｂ  第２カメラ
６１０  載置台
【図１】
2018128970.tif 000005
【図２】
2018128970.tif 000006
【図３】
2018128970.tif 000007
【図４】
2018128970.tif 000008
【図５】
2018128970.tif 000009
【図６】
2018128970.tif 000010
【図７】
2018128970.tif 000011
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
認証対象者が特定エリアへの入場を許可すべき正当権原者であるかを判断するために顔認証を行うための認証システムであって、
前記認証対象者を識別するための識別情報を取得する識別情報取得部と、
前記認証対象者が提供する前記識別情報を前記識別情報取得部が取得するタイミングと略同一のタイミングで前記認証対象者を撮影する第１撮影部と、
前記認証対象者が提供する前記識別情報を前記識別情報取得部が取得するタイミングと略同一または異なるタイミングで前記認証対象者を撮影する第２撮影部と、
前記識別情報取得部において取得された前記識別情報と、前記第１撮影部において撮影された前記認証対象者の顔部分を含む画像である第１認証用画像と、前記第２撮影部において撮影された前記認証対象者の顔部分を含む画像である第２認証用画像と、を含む認証用の情報を出力する出力部と、
を備え、
前記識別情報取得部および前記第１撮影部は隣接して配置され、
前記識別情報取得部、前記第１撮影部、および前記第２撮影部は、前記認証対象者が前記特定エリアに向かう進行方向に沿って、この順番にて備えられている、認証システム。
【請求項２】
前記第２撮影部は、前記認証対象者が前記特定エリアに向かう最中に、前記認証対象者が前記第２撮影部の撮影方向において予め定められた範囲以内に近づいてきたことが検出されたことをトリガーとして前記認証対象者を撮影する、請求項１に記載の認証システム。
【請求項３】
前記第２撮影部は、前記認証対象者が前記特定エリアに向かう最中に、前記識別情報取得部に前記識別情報を取得させた後に、前記認証対象者を撮影する、請求項１または２に記載の認証システム。
【請求項４】
前記第１撮影部は前記識別情報取得部から４４０ｍｍの高さに設置される、請求項１から３のいずれか一項に記載の認証システム。
【請求項５】
前記認証システムは、前記識別情報取得部と前記第１撮影部の組を２組備え、
前記２組はそれぞれ、前記識別情報取得部および前記第１撮影部が前記認証対象者の顔認証時の進行方向に沿って設置される、請求項１から４のいずれか一項に記載の認証システム。
【請求項６】
前記識別情報と、前記正当権原者の顔画像データと、を関連付けて記憶する入場者情報記憶部と、
前記出力部から出力される前記識別情報に関連付けられた前記正当権原者の顔画像データを前記入場者情報記憶部から取得し、取得された前記正当権原者の顔画像データと、前記出力部から出力される少なくとも前記第１認証用画像とを、照合する照合部と、
をさらに備える、請求項１から５のいずれか一項に記載の認証システム。
【請求項７】
互いに隣接して配置される識別情報取得部と、第１撮影部と、第２撮影部と、を備え、認証対象者が特定エリアへの入場を許可すべき正当権原者であるかを判断するために顔認証を行うためのコンピュータシステムが実行する顔認証方法であって、
前記識別情報取得部が、前記認証対象者を識別するための識別情報を取得するステップと、
前記第１撮影部が、前記認証対象者が提供する前記識別情報を前記取得するタイミングと略同一のタイミングで前記認証対象者を撮影するステップと、
前記第２撮影部が、前記認証対象者が提供する前記識別情報を前記識別情報取得部が取得するタイミングと略同一または異なるタイミングで前記認証対象者を撮影するステップと、
前記コンピュータシステムが、前記取得された識別情報と、前記第１撮影部によって撮影された前記認証対象者の顔部分を含む画像である第１認証用画像と、前記第２撮影部によって撮影された前記認証対象者の顔部分を含む画像である第２認証用画像と、を含む認証用の情報を出力するステップと、
を含み、
前記コンピュータシステムにおいて、前記識別情報取得部、前記第１撮影部、および前記第２撮影部は、前記認証対象者が前記特定エリアに向かう進行方向に沿って、この順番にて備えられている、顔認証方法。
【請求項８】
請求項７に記載の顔認証方法をコンピュータシステムに実行させるためのプログラム。